(57)【要約】【課題】印画紙を、より精度良く切断できるようにする。【解決手段】長尺の印画紙２をロール状に収納する印画紙マガジンを装填するマガジン装填部が複数設けられ、前記複数のマガジン装填部に装填された印画紙マガジンの何れか１つから引き出された印画紙を搬送する搬送手段と、前記印画紙に写真画像を露光形成する露光手段とが設けられ、前記搬送手段の搬送経路の途中に長尺の印画紙を設定サイズに切断するカッタ２８が備えられた写真プリント装置であって、前記カッタ２８は、切断対象の印画紙が、前記複数のマガジン装填部のうちの何れのマガジン装填部に装填された印画紙マガジンから引き出されたかによって、前記印画紙の切断角度を設定変更可能に構成されている【選択図】　　　　図１
2004025452.tif 000002
【特許請求の範囲】
【請求項１】
長尺の印画紙をロール状に収納する印画紙マガジンを装填するマガジン装填部が複数設けられ、
前記複数のマガジン装填部に装填された印画紙マガジンの何れか１つから引き出された印画紙を搬送する搬送手段と、前記印画紙に写真画像を露光形成する露光手段とが設けられ、
前記搬送手段の搬送経路の途中に長尺の印画紙を設定サイズに切断するカッタが備えられた写真プリント装置であって、
前記カッタは、切断対象の印画紙が、前記複数のマガジン装填部のうちの何れのマガジン装填部に装填された印画紙マガジンから引き出されたかによって、前記印画紙の切断角度を設定変更可能に構成されている写真プリント装置。
【発明の詳細な説明】
【０００１】
【発明の属する技術分野】
本発明は、長尺の印画紙をロール状に収納する印画紙マガジンを装填するマガジン装填部が複数設けられ、前記複数のマガジン装填部に装填された印画紙マガジンの何れか１つから引き出された印画紙を搬送する搬送手段と、前記印画紙に写真画像を露光形成する露光手段とが設けられ、前記搬送手段の搬送経路の途中に長尺の印画紙を設定サイズに切断するカッタが備えられた写真プリント装置に関する。
【０００２】
【従来の技術】
かかる写真プリント装置は、印画紙マガジンから長尺の印画紙を引き出し、その長尺の印画紙をカッタにて所定のプリントサイズに切断した後、露光手段によって印画紙に対して画像を露光形成して、写真プリントを作製する。
ところで、複数のマガジン装填部が備えられ、同時に複数の印画紙マガジンを装填できる形式の写真プリント装置では、何れか１つの印画紙マガジンから印画紙が引き出されてカッタの設置箇所まで搬送されるのであるが、何れの印画紙マガジンを使用するかによって、カッタの刃と印画紙の長手方向とのなす角度がわずかに変化する。
【０００３】
これは、各マガジン装填部における印画紙マガジンを取り付けるためのマガジン支持部材の取り付け位置の精度がそれほど良くないため、マガジン装填部に印画紙マガジンを装填すると、印画紙マガジンからの印画紙の引き出し方向と搬送手段による理想的な印画紙の搬送方向とがわずかに傾いてしまうために生じる。前記マガジン支持部材の取り付け精度を向上させれば上述のような問題は無くせるが、前記マガジン支持部材は重量物である印画紙マガジンを支持する関係で、写真プリント装置のフレームに直接取り付けて十分な支持強度を確保する必要があり、前記マガジン支持部材の取り付け精度の向上のための微妙な位置調整は容易ではない。
そこで、従来は、複数のマガジン装填部に装填された印画紙マガジンの夫々から順次に印画紙を引き出して前記カッタにて試し切りを行い、印画紙の切断部分の直角からの偏差が、使用する印画紙マガジン全体として極力小さくなるような前記カッタの取り付け角度を求めて、そのような平均的な角度で前記カッタを固定設置するようにしていた。
【０００４】
【発明が解決しようとする課題】
しかしながら、上記従来構成では、厳密には何れの写真プリントについても正確な長方形とはなっていないことになり、特に、写真プリントの画像の周囲に白い縁を形成する縁有りの写真プリントでは、その白い縁がきれいな平行の帯とならない場合があり、近年の写真プリントの品質向上の要請に十分に応えるものではなかった。
本発明は、かかる実情に鑑みてなされたものであって、その目的は、印画紙を、より精度良く切断できるようにする点にある。
【０００５】
【課題を解決するための手段】
上記請求項１記載の構成を備えることにより、長尺の印画紙をロール状に収納する印画紙マガジンを装填するマガジン装填部が複数設けられ、前記複数のマガジン装填部に装填された印画紙マガジンの何れか１つから引き出された印画紙を搬送する搬送手段と、前記印画紙に写真画像を露光形成する露光手段とが設けられ、前記搬送手段の搬送経路の途中に長尺の印画紙を設定サイズに切断するカッタが備えられた写真プリント装置において、前記カッタは、切断対象の印画紙が、前記複数のマガジン装填部のうちの何れのマガジン装填部に装填された印画紙マガジンから引き出されたかによって、前記印画紙の切断角度を設定変更可能に構成されている。
【０００６】
従って、カッタによる印画紙の切断角度を、どのマガジン装填部の印画紙マガジンから引き出された印画紙を切断するかによって最適な角度に設定することができ、装填されている何れの印画紙マガジンから引き出された印画紙であっても、印画紙の長手方向に沿う端縁に対して正確に直角をなすように切断することができるものとなった。
【０００７】
【発明の実施の形態】
以下、本発明の写真プリント装置の実施の形態を図面に基づいて説明する。
本実施の形態で例示する写真プリント装置ＤＰは、いわゆるデジタルミニラボ機として知られているものであり、図４のブロック構成図に示すように、現像処理済みの写真フィルム１（以下、単に「フィルム１」と略称する）の駒画像を読み取るフィルムスキャナＦＳと、フィルムスキャナＦＳにて読み取った駒画像を印画紙２に露光し且つ現像処理する露光・現像装置ＥＰとから構成されている。
〔フィルムスキャナＦＳの概略構成〕
フィルムスキャナＦＳには、図４に概略的に示すように、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、その処理回路１７の出力信号に基づいて露光・現像装置ＥＰのための露光用画像データを生成すると共にフィルムスキャナＦＳ内の各部の作動を制御するスキャナ制御部１８と、仕上がりプリント画像をシミュレートしたシミュレート画像や各種の制御用の情報を表示するモニタ１９と、スキャナ制御部１８に対して露光条件の手動設定等を入力操作するための操作卓２０とが設けられている。
【０００８】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
フィルムスキャナＦＳでは、フィルムマスクユニット１３にフィルム１がセットされると、搬送機構１３ａにてフィルム１の搬送が開始され、駒画像が順次読み取られて、赤色、緑色、青色毎のデジタル画像データとしてスキャナ制御部１８に出力される。
【０００９】
スキャナ制御部１８では、処理回路１７から入力された画像データによってプリントを作成した場合に得られるであろうシミュレート画像を演算して求め、それをモニタ１９に表示する。
操作者は、このモニタ１９上のシミュレート画像を観察して、適正な画像が得られていなければ、操作卓２０から露光条件の修正入力操作を行う。
スキャナ制御部１８は、処理回路１７から入力された画像データとその修正入力とに従って予め設定された演算条件で赤色、緑色、青色毎の露光用画像データを生成する。
尚、詳細な説明は省略するが、フィルムスキャナＦＳには、光磁気ディスクやＣＤ−ＲＯＭ等の各種の記憶媒体を読み取る読取り装置が備えられており、フィルム１の駒画像以外にも、それらの媒体に記録された画像データに基づいてプリントを作製することができる。
【００１０】
〔露光・現像装置ＥＰの全体構成〕
露光・現像装置ＥＰは、図５にその外観を示すように、フィルムスキャナＦＳとは別体で構成されており、内部には、図４に示すように、印画紙２に対して露光用レーザビームを走査することにより印画紙２上に露光画像を形成する画像露光ユニット２５と、画像露光ユニット２５にて露光された印画紙２を現像処理する現像処理装置２６と、印画紙マガジン５から引き出された印画紙２を現像処理装置２６へ搬送する印画紙搬送系ＰＴと、スキャナ制御部１８から受け取った露光用画像データに基づいて画像露光ユニット２５を露光作動させる露光制御部６とが備えられ、外部には、図５に示すように、現像処理装置２６にて現像された印画紙２をオーダ毎に分類するためのソータ３と、現像処理装置２６から排出された印画紙２をソータ３へ搬送するコンベア４とが備えられている。
更に、印画紙搬送系ＰＴの搬送経路の途中には、後述するカッタユニットＣＵと、そのカッタユニットＣＵで切断され一列で搬送される印画紙２を複数の搬送列に振り分けるための振り分け装置２９が備えられている。
【００１１】
〔露光・現像装置ＥＰの筐体内の配置構成〕
露光・現像装置ＥＰの筐体正面側には観音開き式の正面側扉３０が備えられ、正面側扉３０の内方には、機器の配置を正面視で概略的に示す図３のように、装置下端に印画紙マガジン５を装填するための２つのマガジン装填部ＭＬが左右に配置され、２つのマガジン装填部ＭＬの間の空間には、前記印画紙搬送系ＰＴの一部を構成し前記振り分け装置２９や複数の搬送ローラ２４ａ等を収納する露光前搬送ユニット３２が配置されている。
露光・現像装置ＥＰの筐体内には、更に、正面視で右側のマガジン装填部ＭＬの上部に、前記露光制御部６を収納する制御ボックス３４が配置されている。
露光前搬送ユニット３２の上部には、画像露光ユニット２５による露光箇所において印画紙２を搬送する露光搬送ユニット３３が配置され、制御ボックス３４の上部には、前記画像露光ユニット２５が配置されている。露光搬送ユニット３３にも複数の搬送ローラ２４ｂや、搬送ローラ２４ｂを駆動する搬送モータ２３等が収納されている。
【００１２】
露光搬送ユニット３３及び画像露光ユニット２５の上部には、画像露光ユニット２５にて露光された印画紙２を露光搬送ユニット３３から受け取って搬送する第１露光後搬送ユニット４５，第２露光後搬送ユニット４６及び第３露光後搬送ユニット４７が配置されている。第１〜第３露光後搬送ユニット４５，４６，４７にも、他の搬送ユニットと同様に複数の搬送ローラ２４ｃが収納され、露光搬送ユニット３３等と同様に印画紙搬送系ＰＴの一部を構成する。
露光・現像装置ＥＰの筐体上部側には、これら第１〜第３露光後搬送ユニット４５，４６，４７に対して保守作業を行うための上部カバー３１が備えられており、水平軸心周りに揺動開閉される。
【００１３】
〔印画紙２をプリントサイズに切断するための構成〕
上述のように印画紙搬送系ＰＴの搬送経路の途中には、印画紙マガジン５にロール状に収納されている長尺の印画紙２が、印画紙マガジン５から引き出されたときに、その印画紙２を印画紙２の搬送横幅方向に切断して、所定のプリントサイズに切断するカッタユニットＣＵが備えられている。
カッタユニットＣＵには、図２に概略的に示すように、上方に向けて搬送される長尺の印画紙２の搬送経路の両側に振分けられる状態で配置される一対の刃２８ａ，２８ｂからなるカッタ２８が備えられ、一対の刃２８ａ，２８ｂが相互に接近離間移動することによって印画紙２を所定のプリントサイズに切断する。
【００１４】
カッタ２８は、理想的には、印画紙２の搬送方向に直交する角度で印画紙２を切断することで、正確な長方形をなす印画紙２を作製するのであるが、現実には、マガジン装填部ＭＬに印画紙マガジン５を固定するためのマガジン支持部材の位置精度がそれほど良くはないために、印画紙マガジン５から印画紙２が引き出される方向が、理想的な印画紙２の搬送方向からわずかに傾いてしまう。
この傾きを補正するために、水平方向視でカッタユニットＣＵの取り付け状態を示す図１のように、カッタユニットＣＵの水平から傾き角度を微調整する姿勢調整機構ＣＭが設けられている。
【００１５】
姿勢調整機構ＣＭは、カッタユニットＣＵの一端側を水平軸芯α周りに回動自在に支承すると共に、カッタユニットＣＵの他端側に取り付けたカムフォロア５１を偏心カム５２にて上下動操作することによって、カッタユニットＣＵのカッタ２８を図２において矢印Ａで示すように揺動操作する。
偏心カム５２は、ステッピングモータ５３の回転軸５３ａに取り付けられ、回転軸５３ａには、更に、偏心カム５２のホームポジションを検知するための遮光板５４が取り付けられている。
姿勢調整機構ＣＭは、切断角度制御部ＡＣにて制御され、切断角度制御部ＡＣは、印画紙マガジン５から印画紙２が引き出されているか否かを検出する印画紙検出センサ５５，５６の検出情報に基づいてカッタユニットＣＵの傾き姿勢（すなわちカッタ２８の傾き姿勢）を制御する。印画紙検出センサ５５，５６は、夫々、２つのマガジン装填部ＭＬに装填された２つの印画紙マガジン５の印画紙引き出し口付近に配置されている。
【００１６】
すなわち、印画紙検出センサ５５，５６のうちの何れか一方が、印画紙マガジン５から引き出された印画紙２の存在を検出すると、先ず、フォトインタラプタ５７の検出情報によって、偏心カム５２の回転位置をホームポジションに位置させ、その後、印画紙２の存在を検出した方のマガジン装填部ＭＬに対応して記憶している傾き設定用の回転角だけ偏心カム５２を回転させる。
切断角度制御部ＡＣが、２つのマガジン装填部ＭＬの夫々に対応して記憶している前記傾き設定用の回転角は、夫々のマガジン装填部ＭＬに印画紙マガジン５を装填して、引き出した印画紙２をカッタユニットＣＵで試し切りすることによって、切断された印画紙２が最も良好な長方形となるように、夫々個別に求めて記憶させてある。
【００１７】
このように、使用する印画紙２が何れのマガジン装填部ＭＬから来ているかによってカッタユニットＣＵの傾き姿勢を微調整することで、切断後の印画紙２を適正形状に切断できるのであるが、更に、より一層精度を向上させるために、カッタユニットＣＵの傾き姿勢の調整のための前記傾き設定用の回転角を、マガジン装填部ＭＬに装填する印画紙マガジン５毎に求めて記憶させておき、偏心カム５２を、印画紙検出センサ５５，５６の検出情報と印画紙マガジン５の個体識別情報とに基づいて、それらの情報に対応した前記傾き設定用の回転角に設定しても良い。
【図面の簡単な説明】
【図１】本発明の実施の形態にかかる姿勢調整機構の概略構成図
【図２】本発明の実施の形態にかかる要部斜視図
【図３】本発明の実施の形態にかかる露光・現像装置の内部配置図
【図４】本発明の実施の形態にかかる写真プリント装置のブロック構成図
【図５】本発明の実施の形態にかかる露光・現像装置の外観斜視図
【符号の説明】
２　　印画紙
５　　印画紙マガジン
２５　露光手段
２８　カッタ
ＭＬ　マガジン装填部
ＰＴ　搬送手段
【図１】
2004025452.tif 000003
【図２】
2004025452.tif 000004
【図３】
2004025452.tif 000005
【図４】
2004025452.tif 000006
【図５】
2004025452.tif 000007